【手続補正書】
【提出日】平成17年11月21日(2005.11.21)
【手続補正１】
【補正対象書類名】特許請求の範囲
【補正対象項目名】全文
【補正方法】変更
【補正の内容】
【特許請求の範囲】
【請求項１】
ユーザがマルチメディア・プレゼンテーションに合わせて楽器を演奏することができるように、オーディオ・ファイルのマルチメディア・プレゼンテーションをユーザに表示するためにコンピューティング・デバイスに配信するシステムにおいて、このシステムは、
ユーザによる楽曲の選択に応じてコンピュータ・ネットワークを介してコンピューティング・デバイスにセッション・ファイルを送信するサーバであって、コンピューティング・デバイスがオーディオ・ファイルのマルチメディア・プレゼンテーションをユーザに提示するためにセッション・ファイルを処理するよう、セッション・ファイルが選択された楽曲に関連付けられており、セッション・ファイルがオーディオ・ファイルとマルチメディア・データを含むサーバと；
コンピューティング・デバイスとユーザの楽器に接続されているインターフェース・デバイスであって、コンピューティング・デバイスに接続した楽器を演奏することによってオーディオ信号が発生するように楽器をコンピューティング・デバイスに結合するインターフェース・デバイスと；
から構成され、
オーディオ信号を変化させるため楽器に対するサウンド特性を規定する設定がなされ、且つ楽器用の増幅器を有するコントロール・パネル・グラフィカル・インターフェースがコンピューティング・デバイスによって表示され、且つユーザがオーディオ・ファイルのマルチメディア・プレゼンテーションと関連して楽器を演奏できるように、変化するオーディオ信号とオーディオファイルを結合した混合信号が発生させ、この混合信号が音響装置に送出されることを特徴とするシステム。
【請求項２】
コントロール・パネル・グラフィカル・インターフェースが、楽曲に対するサウンド特性をユーザが設定することができる請求項２に記載のシステム。
【請求項３】
ユーザが選択した楽曲に対するオーディオ・ファイルに関連付けられた楽器のサウンド特性をモデル化するために、セッション・ファイルのマルチメディア・データがコントロール・パネル・グラフィカル・インターフェースを事前に決めた値に設定する請求項２に記載のシステム。
【請求項４】
ユーザの楽器を含まないオーディオ・ファイルのマルチメディア・プレゼンテーションに合わせてユーザがユーザの楽器を演奏することができるよう、ユーザの楽器に関連付けられたトラックをユーザが選択した楽曲のオーディオ・ファイルから除去される請求項１に記載のシステム。
【請求項５】
セッション・ファイルのマルチメディア・データが、ユーザが選択した楽曲のオーディオ・ファイルに関連付けられた楽譜を表示させる請求項１に記載のシステム。
【請求項６】
インターフェース・デバイスに記憶されている一意の識別子に基づいてサーバがユーザを識別する請求項１に記載のシステム。
【請求項７】
ユーザのインターフェース・デバイスに記憶されている一意の識別子がインターフェース・デバイスに関連付けられたシリアル番号である請求項６に記載のシステム。
【請求項８】
サーバが、一意の識別子に基づいてユーザに楽曲のプレゼンテーションを合わせる請求項６に記載のシステム。
【請求項９】
インターフェース・デバイスがインターフェース・デバイスに関連付けられたユーザ・キーを記憶する請求項６に記載のシステム。
【請求項１０】
サーバからユーザのコンピューティング・デバイスに送信されたオーディオ・ファイルがオーディオ・ファイルに関連付けられたオーディオ・ファイル・キーで暗号化されており、オーディオ・ファイル・キーはユーザに対するユーザ・キーで暗号化されており、これもまたコンピューティング・デバイスに送信される請求項９に記載のシステム。
【請求項１１】
コンピューティング・デバイスがオーディオ・ファイルを解読するために解読されたオーディオ・ファイル・キーを使用するように、インターフェース・デバイスが、記憶されているユーザ・キーを使用してユーザ・キーで暗号化されたオーディオ・ファイル・キーを解読し、解読されたオーディオ・ファイル・キーをコンピューティング・デバイスに送信する請求項１０に記載のシステム。
【請求項１２】
楽器がマイクロフォンである請求項１に記載のシステム。
【請求項１３】
楽器がギターである請求項１に記載のシステム。
【請求項１４】
ユーザが選択した楽曲に対するオーディオ・ファイルに関連付けられたギターのサウンド特性をモデル化するために、セッション・ファイルのマルチメディア・データがコントロール・パネル・グラフィカル・インターフェースを事前に決めた値に設定する請求項１３に記載のシステム。
【請求項１５】
ギター・トラックを含まないオーディオ・ファイルのマルチメディア・プレゼンテーションに合わせてユーザがユーザのギターを演奏することができるよう、ユーザが選択した楽曲のオーディオ・ファイルからギター・トラックが除去される請求項１４に記載のシステム。
【請求項１６】
セッション・ファイルのマルチメディア・データが、ユーザが選択した楽曲のオーディオ・ファイルに関連付けられたギター用の楽譜を表示させる請求項１４に記載のシステム。
【請求項１７】
ユーザがマルチメディア・プレゼンテーションに合わせて楽器を演奏することができるオーディオ・ファイルのマルチメディア・プレゼンテーションをユーザに配信する方法において、この方法は、
ユーザによる楽曲の選択に応じて、楽曲に関連付けられた、オーディオ・ファイルとマルチメディア・データとを含むセッション・ファイルを送信するステップと；
オーディオ・ファイルのマルチメディア・プレゼンテーションをユーザに提示するためにコンピューティング・デバイスを使用してセッション・ファイルを処理するステップと；
ユーザが楽器を演奏することによって発生するオーディオ信号をコンピューティング・デバイスに伝達されるように楽器とコンピューティング・デバイスを結合するステップと；
オーディオ信号を変化させるために楽器用のサウンド特性を規定する設定を具備すると共に楽器用の増幅器を有するコントロール・グラフィカル・インターフェースを表示するスタップと；
変化したオーディオ信号とオーディオ・ファイルを結合した混合信号を発生するステップと；から構成され、ユーザーがオーディオ・ファイルのマルチメディア・プレゼンテーションと関連して楽器を演奏できるように、前記混合信号は音響装置に送出されることを特徴とする方法。
【請求項１８】
コントロール・パネル・グラフィカル・インターフェースが、楽曲に対するサウンド特性をユーザが設定することができる請求項１７に記載の方法。
【請求項１９】
ユーザが選択した楽曲に対するオーディオ・ファイルに関連付けられた楽器のサウンド特性をモデル化するために、セッション・ファイルのマルチメディア・データがコントロール・パネル・グラフィカル・インターフェースを事前に決めた値に設定する請求項１７に記載の方法。
【請求項２０】
ユーザの楽器を含まないオーディオ・ファイルのマルチメディア・プレゼンテーションに合わせてユーザがユーザの楽器を演奏することができるよう、ユーザの楽器に関連付けられたトラックをユーザが選択した楽曲のオーディオ・ファイルから除去するステップをさらに含む請求項１７に記載の方法。
【請求項２１】
マルチメディア・プレゼンテーションでユーザが選択した楽曲のオーディオ・ファイルに関連付けられた楽譜をユーザに対して表示するステップをさらに含む請求項１７に記載の方法。
【請求項２２】
一意の識別子に基づいてユーザを識別するステップをさらに含む請求項１７に記載の方法。
【請求項２３】
一意の識別子がシリアル番号である請求項２２に記載の方法。
【請求項２４】
一意の識別子に基づいてユーザに楽曲のプレゼンテーションを合わせるステップをさらに含む請求項２２に記載の方法。
【請求項２５】
ユーザ・キーを記憶するステップをさらに含む請求項２２に記載の方法。
【請求項２６】
ユーザのコンピューティング・デバイスに送信されたオーディオ・ファイルをオーディオ・ファイルに関連付けられたオーディオ・ファイル・キーで暗号化するステップと、
オーディオ・ファイル・キーをユーザに対するユーザ・キーで暗号化するステップと
をさらに含む請求項２５に記載の方法。
【請求項２７】
記憶されているユーザ・キーを使用してユーザ・キーで暗号化されたオーディオ・ファイル・キーを解読するステップと、
解読されたオーディオ・ファイル・キーでオーディオ・ファイルを解読するステップと
をさらに含む請求項２６に記載の方法。
【請求項２８】
楽器がマイクロフォンである請求項１７に記載の方法。
【請求項２９】
楽器がギターである請求項１７に記載の方法。
【請求項３０】
ユーザが選択した楽曲に対するオーディオ・ファイルに関連付けられたギターのサウンド特性をモデル化するために、セッション・ファイルのマルチメディア・データがコントロール・パネル・グラフィカル・インターフェースを事前に決めた値に設定する請求項２９に記載の方法。
【請求項３１】
ギター・トラックを含まないオーディオ・ファイルのマルチメディア・プレゼンテーションに合わせてユーザがユーザのギターを演奏することができるよう、ギター・トラックをユーザが選択した楽曲のオーディオ・ファイルから除去するステップをさらに含む請求項３０に記載の方法。
【請求項３２】
マルチメディア・プレゼンテーションでユーザが選択した楽曲のオーディオ・ファイルに関連付けられたギターに対する楽譜をユーザに対して表示するステップをさらに含む請求項３０に記載の方法。
【請求項３３】
コンピュータによって実行された際に、
ユーザによる楽曲の選択に応じて、楽曲に関連付けられた、オーディオ・ファイルとマルチメディア・データとを含むセッション・ファイルを送信するオペレーションと；
オーディオ・ファイルのマルチメディア・プレゼンテーションをユーザに提示するようセッション・ファイルを処理するオペレーションと；
ユーザーが楽器を演奏するのに応答して楽器からオーディオ信号が発生するように楽器からの信号を処理するオペレーションと；
オーディオ信号を変化させるために楽曲に対するサウンド特性を規定する設定を有し、且つ楽器用増幅器を具備した楽器用コントロール・パネル・グラフィカル・インターフェースを表示するオペレーションと；
変化したオーディオ信号とオーディオ・ファイルを結合した混合信号を発生するオペレーションと；を行い、ユーザーがオーディオ・ファイルのマルチメディア・プレゼンテーションと関連して楽器を演奏出来るように上記混合信号を音響装置に送出することを特徴とするオペーレーションをコンピュータに実行させる命令を記憶したコンピュータ可読媒体。
【請求項３４】
コントロール・パネル・グラフィカル・インターフェースが、楽曲に対するサウンド特性をユーザが設定することができる請求項３３に記載のコンピュータ可読媒体。
【請求項３５】
ユーザが選択した楽曲に対するオーディオ・ファイルに関連付けられた楽器のサウンド特性をモデル化するために、セッション・ファイルのマルチメディア・データがコントロール・パネル・グラフィカル・インターフェースを事前に決めた値に設定する請求項３３に記載のコンピュータ可読媒体。
【請求項３６】
ユーザの楽器を含まないオーディオ・ファイルのマルチメディア・プレゼンテーションに合わせてユーザがユーザの楽器を演奏することができるよう、ユーザの楽器に関連付けられたトラックをユーザが選択した楽曲のオーディオ・ファイルから除去するオペレーションをさらに含む請求項３３に記載のコンピュータ可読媒体。
【請求項３７】
マルチメディア・プレゼンテーションでユーザが選択した楽曲のオーディオ・ファイルに関連付けられた楽譜をユーザに対して表示するオペレーションをさらに含む請求項３３に記載のコンピュータ可読媒体。
【請求項３８】
一意の識別子に基づいてユーザを識別するオペレーションをさらに含む請求項３７に記載のコンピュータ可読媒体。
【請求項３９】
一意の識別子がシリアル番号である請求項３８に記載のコンピュータ可読媒体。
【請求項４０】
一意の識別子に基づいてユーザに楽曲のプレゼンテーションを合わせるオペレーションをさらに含む請求項３８に記載のコンピュータ可読媒体。
【請求項４１】
ユーザ・キーを記憶するオペレーションをさらに含む請求項３８に記載のコンピュータ可読媒体。
【請求項４２】
ユーザのコンピューティング・デバイスに送信されたオーディオ・ファイルをオーディオ・ファイルに関連付けられたオーディオ・ファイル・キーで暗号化するオペレーションと、
オーディオ・ファイル・キーをユーザに対するユーザ・キーで暗号化するオペレーションと
をさらに含む請求項４１に記載のコンピュータ可読媒体。
【請求項４３】
記憶されているユーザ・キーを使用してユーザ・キーで暗号化されたオーディオ・ファイル・キーを解読するオペレーションと、
解読されたオーディオ・ファイル・キーでオーディオ・ファイルを解読するオペレーションと
をさらに含む請求項４２に記載のコンピュータ可読媒体。
【請求項４４】
楽器がマイクロフォンである請求項３３に記載のコンピュータ可読媒体。
【請求項４５】
楽器がギターである請求項３７に記載のコンピュータ可読媒体。
【請求項４６】
ユーザが選択した楽曲に対するオーディオ・ファイルに関連付けられたギターのサウンド特性をモデル化するために、セッション・ファイルのマルチメディア・データがコントロール・パネル・グラフィカル・インターフェースを事前に決めた値に設定する請求項４５に記載のコンピュータ可読媒体。
【請求項４７】
ギター・トラックを含まないオーディオ・ファイルのマルチメディア・プレゼンテーションに合わせてユーザがユーザのギターを演奏することができるよう、ギター・トラックをユーザが選択した楽曲のオーディオ・ファイルから除去するオペレーションをさらに含む請求項４６に記載のコンピュータ可読媒体。
【請求項４８】
マルチメディア・プレゼンテーションでユーザが選択した楽曲のオーディオ・ファイルに関連付けられたギター用の楽譜をユーザに対して表示するオペレーションをさらに含む請求項４６に記載のコンピュータ可読媒体。
【請求項４９】
楽器をコンピューティング・デバイスに結合するインターフェース・デバイスにおいて、コンピューティング・デバイスは、楽器の処理済デジタル・オーディオ信号を作成するためにインターフェース・デバイスから受信した楽器のデジタル化されたオーディオ信号に対してデジタル信号処理（ＤＳＰ）を実行し、デジタル・オーディオ・ファイルのマルチメディア・プレゼンテーションをユーザに提示し、楽器の処理済デジタル・オーディオ信号とデジタル・オーディオ・ファイルの両方のミックスされたデジタル信号を作成し、インターフェース・デバイスは、ミックスされたデジタル信号をアナログ・サウンド・デバイスによりユーザに送信するためにユーザにサウンドを提示するアナログ形式に変換させ、それによりユーザがマルチメディア・プレゼンテーションに合わせて楽器を演奏することを可能にし、
プロセッサと、
楽器の処理済デジタル・オーディオ信号とコンピューティング・デバイスから受信したデジタル・オーディオ・ファイルの両方のミックスされたデジタル信号をミックスされたアナログ・オーディオ信号に変換するデジタル・アナログ（Ｄ／Ａ）コンバータと、
楽器のデジタル化されたオーディオ信号とミックスされたデジタル信号のタイミングとフォーマットを制御するデジタル・オーディオ・インターフェースと
を含み、
プロセッサは、ユーザがオーディオ・ファイルのマルチメディア・プレゼンテーションに合わせて楽器を演奏することができるように、ミックスされたデジタル信号がＤ／Ａコンバータを介し、またアナログ・サウンド・デバイスを介してユーザに送信されるよう、デジタル・オーディオ・インターフェースを制御するインターフェース・デバイス。
【請求項５０】
シリアル入出力（Ｉ／Ｏ）リンクを介してインターフェース・デバイスをコンピューティング・デバイスに結合するシリアルＩ／Ｏコントローラをさらに含む請求項４９に記載のインターフェース・デバイス。
【請求項５１】
シリアル入出力（Ｉ／Ｏ）コントローラがユニバーサル・シリアル・バス（ＵＳＢ）コントローラであり、インターフェース・デバイスがＵＳＢリンクを介してコンピューティング・デバイスに結合されている請求項５０に記載のインターフェース・デバイス。
【請求項５２】
アナログ・サウンド・デバイスに出力するために他のオーディオ信号を含むミキサーをさらに含む請求項４９に記載のインターフェース・デバイス。
【請求項５３】
アナログ・サウンド・デバイスに出力するために処理済アナログ・オーディオ信号とアナログ・オーディオ・ファイルのボリュームを制御するボリューム・コントローラをさらに含む請求項４９に記載のインターフェース・デバイス。
【請求項５４】
アナログ・サウンド・デバイスが少なくとも１つのスピーカを含む請求項４９に記載のインターフェース・デバイス。
【請求項５５】
ユーザの楽器を含まないオーディオ・ファイルのマルチメディア・プレゼンテーションに合わせてユーザがユーザの楽器を演奏することができるよう、ユーザの楽器に関連付けられたトラックがマルチメディア・プレゼンテーションに関連付けられたデジタル・オーディオ・ファイルから除去される請求項４９に記載のインターフェース・デバイス。
【請求項５６】
マルチメディア・プレゼンテーションがユーザに表示されるオーディオ・ファイルに関連付けられた楽譜を含む請求項５５に記載のインターフェース・デバイス。
【請求項５７】
楽器がギターである請求項４９に記載のインターフェース・デバイス。
【請求項５８】
コンピューティング・デバイスがコンピュータ・ネットワークを介してサーバからデジタル・オーディオ・ファイルのマルチメディア・プレゼンテーションを受信する請求項４９に記載のインターフェース・デバイス。
【請求項５９】
セキュリティ・デバイスに記憶されている一意の識別子に基づいて許可されたインターフェースされたデバイスとしてインターフェース・デバイスを識別するセキュリティ・デバイスをさらに含む請求項５８に記載のインターフェース・デバイス。
【請求項６０】
ユーザのセキュリティ・デバイスに記憶されている一意の識別子がインターフェース・デバイスに関連付けられたシリアル番号である請求項５９に記載のインターフェース・デバイス。
【請求項６１】
セキュリティ・デバイスがインターフェース・デバイスに関連付けられたユーザ・キーを記憶する請求項６０に記載のインターフェース・デバイス。
【請求項６２】
サーバからユーザのコンピューティング・デバイスに送信されたデジタル・オーディオ・ファイルがデジタル・オーディオ・ファイルに関連付けられたオーディオ・ファイル・キーで暗号化され、オーディオ・ファイル・キーがユーザに対するユーザ・キーで暗号化され、これもまたコンピューティング・デバイスに送信される請求項６１に記載のインターフェース・デバイス。
【請求項６３】
コンピューティング・デバイスがオーディオ・ファイルを解読するために解読されたオーディオ・ファイル・キーを使用するよう、セキュリティ・デバイスが記憶されているユーザ・キーを使用してユーザ・キーで暗号化されたオーディオ・ファイル・キーを解読し、解読されたオーディオ・ファイル・キーをコンピューティング・デバイスに送信する請求項６２に記載のインターフェース・デバイス。